(57)【要約】  車種や車の大きさなどの車両情報を考慮して最適な駐車場に関する情報を提示し、かつ駐車予約ができる駐車予約システムを提供する。  駐車位置情報を入力するための駐車位置情報入力部１２Ｂ１と、車種又は車の大きさなどを含む車両情報を入力するための車両情報入力部１２Ｂ２と、駐車位置情報及び車両情報に基づいて最適な駐車場を検索するための駐車場検索部１４Ａ１と、駐車場の検索結果に関する情報を出力するための検索結果出力部１４Ｃ２Ａと、駐車場の検索結果に関する情報を参照して駐車予約情報を入力するための駐車予約情報入力部１２Ｂ３と、駐車予約情報を受けて予約済みを指示する予約済み情報を出力するための予約済み情報出力部１４Ｃ２Ｂと、を含む。
2017061051.tif 000002
【特許請求の範囲】
【請求項１】
駐車位置情報を入力するための駐車位置情報入力部と、
車種又は車の大きさなどを含む車両情報を入力するための車両情報入力部と、
前記駐車位置情報及び前記車両情報に基づいて最適な駐車場を検索するための駐車場検索部と、
前記駐車場の検索結果に関する情報を出力するための検索結果出力部と、
前記駐車場の検索結果に関する情報を参照して駐車予約情報を入力するための駐車予約情報入力部と、
前記駐車予約情報を受けて予約済みを指示する予約済み情報を出力するための予約済み情報出力部と、
を含むことを特徴とする駐車予約システム。
【請求項２】
前記予約済み情報を受けて駐車利用を不可能にするための駐車利用制御部を有することを特徴とする請求項１に記載の駐車予約システム。
【請求項３】
駐車利用を可能にする駐車決定情報を入力するための駐車決定情報入力部を有し、
前記駐車利用制御部は、前記駐車決定情報を受けて駐車利用を可能にすることを特徴とする請求項２に記載の駐車予約システム。
【請求項４】
前記駐車位置情報入力部、前記車両情報入力部および前記駐車予約情報入力部は、端末に設けられ、
前記駐車場検索部、前記検索結果出力部および前記予約済み情報出力部は、サーバに設けられ、
前記駐車利用制御部は、前記駐車場又はその近傍に設けられ、
前記各部は、インターネットを介して通信可能になることを特徴とする請求項２に記載の駐車予約システム。
【請求項５】
前記駐車決定情報入力部は、端末に設けられ、
前記駐車決定情報入力部は、インターネットを介して通信可能になることを特徴とする請求項３に記載の駐車予約システム。
【請求項６】
前記駐車利用制御部は、ロック板方式又はカーゲート方式の駐車装置であることを特徴とする請求項１乃至５のいずれか１項に記載の駐車予約システム。
【発明の詳細な説明】
【技術分野】
【０００１】
本発明は、駐車予約システムに関する。
【背景技術】
【０００２】
従来から、様々な方式の駐車場が屋外に設けられている。【０００３】
ところで、下記の特許文献には、駐車予約システムに関する技術が開示されているものの、車種や車の大きさなどを考慮して最適な駐車場に関する情報を提示することはできなかった。
【先行技術文献】
【特許文献】
【０００４】
【特許文献１】特開２０１２−０９４１３４号公報
【特許文献２】特開平１１−３２８５８９号公報
【特許文献２】特開平０８−０６３６９２号公報
【発明の概要】
【発明が解決しようとする課題】
【０００５】
そこで、本発明は、上記問題に鑑み、車種や車の大きさなどの車両情報を考慮して最適な駐車場に関する情報を提示し、かつ駐車予約ができる駐車予約システムを提供することを目的とする。
【課題を解決するための手段】
【０００６】
本発明は、駐車位置情報を入力するための駐車位置情報入力部と、車種又は車の大きさなどを含む車両情報を入力するための車両情報入力部と、前記駐車位置情報及び前記車両情報に基づいて最適な駐車場を検索するための駐車場検索部と、前記駐車場の検索結果に関する情報を出力するための検索結果出力部と、前記駐車場の検索結果に関する情報を参照して駐車予約情報を入力するための駐車予約情報入力部と、前記駐車予約情報を受けて予約済みを指示する予約済み情報を出力するための予約済み情報出力部と、を含むことを特徴とする駐車予約システムである。【０００７】
この場合、前記予約済み情報を受けて駐車利用を不可能にするための駐車利用制御部を有することが好ましい。【０００８】
この場合、駐車利用を可能にする駐車決定情報を入力するための駐車決定情報入力部を有し、前記駐車利用制御部は、前記駐車決定情報を受けて駐車利用を可能にすることが好ましい。【０００９】
この場合、前記駐車位置情報入力部、前記車両情報入力部および前記駐車予約情報入力部は、端末に設けられ、前記駐車場検索部、前記検索結果出力部および前記予約済み情報出力部は、サーバに設けられ、前記駐車利用制御部は、前記駐車場に設けられ、前記各部は、インターネットを介して通信可能になることが好ましい。【００１０】
この場合、前記駐車決定情報入力部は、端末に設けられ、前記駐車決定情報入力部は、インターネットを介して通信可能になることが好ましい。【００１１】
この場合、前記駐車利用制御部は、ロック板方式又はカーゲート方式の駐車装置であることが好ましい。
【発明の効果】
【００１２】
本発明によれば、車種や車の大きさなどの車両情報を考慮して最適な駐車場に関する情報を提示し、かつ駐車予約ができる。
【図面の簡単な説明】
【００１３】
【図１】本発明の第１実施形態の駐車予約システムの全体構成を示したブロック図である。
【図２】本発明の第１実施形態の駐車予約システムの端末の構成を示したブロック図である。
【図３】本発明の第１実施形態の駐車予約システムの端末の入力部の構成を示したブロック図である。
【図４】本発明の第１実施形態の駐車予約システムの端末の出力部の構成を示したブロック図である。
【図５】本発明の第１実施形態の駐車予約システムのサーバの構成を示したブロック図である。
【図６】本発明の第１実施形態の駐車予約システムのサーバの制御部の構成を示したブロック図である。
【図７】本発明の第１実施形態の駐車予約システムのサーバの通信部の構成を示したブロック図である。
【図８】本発明の第１実施形態の駐車予約システムの駐車制御システムの構成を示したブロック図である。
【図９】本発明の第１実施形態の駐車予約システムを用いた駐車予約方法のタイムチャートである。
【図１０】本発明の第１実施形態の駐車予約システムのロック板方式の駐車制御システムであり、パーキングエリアに車両が存在しないにもかかわらず、ロック板が上がっている状態を示した図である。
【図１１】本発明の第１実施形態の駐車予約システムのロック板方式の駐車制御システムであり、ロック板が下がっている状態を示した図である。
【図１２】本発明の第１実施形態の駐車予約システムのロック板方式の駐車制御システムであり、ロック板が上がり、車両のロックが完了している状態を示した図である。
【図１３】本発明の第１実施形態の駐車予約システムのカーゲート方式の駐車制御システムであり、パーキングエリアに車両が存在しないにもかかわらず、カーゲートが閉じている状態を示した図である。
【図１４】本発明の第１実施形態の駐車予約システムのカーゲート方式の駐車制御システムであり、カーゲートが開いている状態を示した図である。
【図１５】本発明の第１実施形態の駐車予約システムのカーゲート方式の駐車制御システムであり、カーゲートが閉じ、車両のロックが完了している状態を示した図である。
【図１６】本発明の第１実施形態の駐車予約システムを用いた駐車予約方法の変形例のタイムチャートである。
【図１７】本発明の第１実施形態の駐車管理システムを適用した場合の駐車場の一例を示す図である。
【図１８】本発明の第１実施形態の駐車場管理システムの構成図である。
【発明を実施するための形態】
【００１４】
本発明の第１実施形態に係る駐車予約システムについて、図面を参照して説明する。
【００１５】
図１に示すように、駐車予約システム１０は、例えば、端末１２と、サーバ１４と、駐車制御システム１６と、を含んで構成されている。
【００１６】
ここで、端末１２とサーバ１４との間、端末１２と駐車制御システム１６との間、サーバ１４と駐車制御システム１６との間で、インターネットなどの既存の通信網１１を利用して、所定の情報を含んだ制御信号の出力および入力が可能になるようにシステム構築されている。なお、既存の無線又は有線のいずれのインフラを用いることができる。
【００１７】
［端末］
先ず、端末１２の構成について説明する。端末１２は、ユーザ数によって単数又は複数となる。
【００１８】
図２に示すように、端末１２は、例えば、携帯電話装置やスマートフォンなどの通信機能が搭載された通信機器で構成される。端末１２は、例えば、制御部１２Ａと、入力部１２Ｂと、出力部１２Ｃと、記憶部１２Ｄと、液晶表示部１２Ｅと、を含んで構成される。
【００１９】
制御部１２Ａは、例えばＣＰＵで構成され、端末全体の制御を司るものであり、インターネットなどの通信網１１を介して、サーバ１４及び駐車制御システム１６に対する制御信号の入出力が可能になる。
【００２０】
入力部１２Ｂは、図３に示すように、駐車位置情報入力部１２Ｂ１と、車両情報入力部１２Ｂ２と、駐車予約情報入力部１２Ｂ３と、駐車決定情報入力部１２Ｂ４と、を含んで構成される。
【００２１】
なお、入力部１２Ｂは、例えば、端末１２の通信部で構成することも可能である。端末１２の通信部によって他の通信機器に対してインターネットなどの通信網１１を介して通信可能になる。
【００２２】
駐車位置情報入力部１２Ｂ１は、駐車場所および駐車希望時間などのユーザの駐車に関する要望を入力するための入力部である。例えば、ユーザが端末１２の文字入力部などを利用して入力する。
【００２３】
車両情報入力部１２Ｂ２は、駐車を希望する車の車種および大きさ（重量を含む）、その他車の属性・機能に関する情報を入力するための入力部である。例えば、ユーザが端末１２の文字入力部などを利用して入力する。
【００２４】
駐車予約情報入力部１２Ｂ３は、サーバ１４からの駐車場の検索結果に関する情報を液晶表示部１２Ｅ等で参照して駐車を希望する駐車情報を特定又は選択し、駐車予約情報を入力するための入力部である。例えば、ユーザが端末１２の文字入力部などを利用して入力する。
【００２５】
駐車決定情報入力部１２Ｂ４は、ユーザが駐車を希望する駐車場の駐車制御システム１６に対して駐車を可能にする駐車決定情報を入力するための入力部である。例えば、ユーザが端末１２の文字入力部などを利用して入力する。
【００２６】
出力部１２Ｃは、図４に示すように、駐車位置情報出力部１２Ｃ１と、車両情報出力部１２Ｃ２と、駐車予約情報出力部１２Ｃ３と、駐車決定情報出力部１２Ｃ４と、を含んで構成される。
【００２７】
なお、出力部１２Ｃは、例えば、端末１２の通信部で構成されている。端末１２の通信部によって、他の通信機器に対してインターネットなどの通信網１１を介して通信可能になる。
【００２８】
駐車位置情報出力部１２Ｃ１は、駐車位置情報入力部１２Ｂ１で入力された駐車位置情報をサーバ１４に対して出力するための出力部である。
【００２９】
車両情報出力部１２Ｃ２は、車両情報入力部１２Ｂ２で入力された車両情報をサーバ１４に対して出力するための出力部である。
【００３０】
駐車予約情報出力部１２Ｃ３は、駐車予約情報入力部１２Ｂ３で入力された駐車予約情報をサーバ１４に対して出力するための出力部である。
【００３１】
駐車決定情報出力部１２Ｃ４は、駐車決定情報入力部１２Ｂ４で入力された駐車決定情報を駐車制御システム１６に対して出力するための出力部である。
【００３２】
図２に示すように、記憶部１２Ｄは、サーバ１４及び駐車制御システム１６に対して出力される制御信号の他に、端末１２の入力部１２Ｂで入力された入力情報などが記憶されている。具体的には、駐車を希望する駐車場に関する情報、駐車時刻、駐車料金などの情報などが記憶される。
【００３３】
記憶部１２Ｄには、当該駐車予約システム１６を実行するためのアプリケーションプログラムが記憶される。当該アプリケーションプログラムは、端末１２又はパーソナルコンピュータからサーバ１４に対してアクセスした後、サーバ１４に記憶されているアプリケーションプログラムが各ユーザの端末１２又はパーソナルコンピュータに対してダウンロードされる。当該アプリケーションプログラムは、制御部１２Ａによって実行される。
【００３４】
なお、当該アプリケーションプログラムを実行するためのパスワードなども記憶される。当該アプリケーションプログラムを自身の端末１２で実行できるユーザを会員ともいう。
【００３５】
液晶表示部１２Ｅは、例えば、アプリケーションプログラムの実行内容を表示する。その他、インターネットのポータルサイトや他のアプリケーションプログラムの実行内容を表示する。具体的に、液晶表示部１２Ｅでは、駐車場の場所、駐車時刻、駐車料金などの情報が表示される。
【００３６】
［サーバ］
次に、サーバ１４の構成について説明する。サーバ１４は、単数又は複数設定することができる。また、クラウドサーバを用いてもよい。
【００３７】
図１に示すように、サーバ１４は、端末１２及び駐車制御システム１６に対してインターネットなどの通信網１１で通信可能に構成されている。サーバ１４は、図５に示すように、例えば、制御部１４Ａと、記憶部１４Ｂと、通信部１４Ｃと、を含んで構成されている。
【００３８】
制御部１４Ａは、例えばＣＰＵ及びＲＯＭなどで構成され、サーバ１４の制御の全体を司るものであり、例えば、図６に示すように、駐車場検索部１４Ａ１と、予約済み情報生成部１４Ａ２と、を有している。
【００３９】
駐車場検索部１４Ａ１は、例えばＣＰＵ及びＲＯＭなどで構成され、端末１２からの駐車位置情報及び車両情報を受けて、ユーザの希望に合致した最適な駐車場を検索する。具体的には、駐車場検索部１４Ａ１は、予め登録された全国の駐車場の情報から最適となる１つ又は複数の駐車場を選択する。複数の駐車場には、例えば、ユーザの希望に合致した駐車場の候補を含むものである。
【００４０】
予約済み情報生成部１４Ａ２は、端末１２からの予約情報を受けて所定の駐車制御システム１６を制御するための予約済み情報を生成する。
【００４１】
図５に示すように、記憶部１４Ｂには、駐車場検索部１４Ａ１の起動プログラムの他に、全国の駐車場に関する情報が登録されている。記憶部１４Ｂに対する駐車場の登録は、例えば当該アプリケーションソフトウエアの会員の端末１２や他の通信機器からサーバ１４に対してアクセスし、前記情報を出力することにより登録することができる。また、記憶部１４Ｂには、駐車予約状況などに関する情報がリアルタイムで更新・記憶される。
【００４２】
通信部１４Ｃは、端末１２及び駐車制御システム１６に対して通信可能になる。通信部１４Ｃは、図７に示すように、入力部１４Ｃ１と、出力部１４Ｃ２と、を有している。
【００４３】
入力部１４Ｃ１には、端末１２又は駐車制御システム１６からの制御信号が入力する。入力部１４Ｃ１は、例えば、予約情報入力ポート１４Ｃ１Ａを有している。
【００４４】
予約情報入力ポート１４Ｃ１Ａは、端末１２からの駐車場予約情報を入力するインターフェースである。
【００４５】
出力部１４Ｃ２は、サーバ１４から端末１２及び駐車制御システム１６に対して制御信号を出力する。出力部１４Ｃ２は、例えば、検索結果出力部１４Ｃ２Ａと、予約済み情報出力部１４Ｃ２Ｂと、を含んで構成される。
【００４６】
検索結果出力部１４Ｃ２Ａは、駐車場検索部１４Ａ１において実行された駐車場の検索結果に関する情報を端末１２に対して出力する。
【００４７】
予約済み情報出力部１４Ｃ２Ｂは、端末１２からの駐車予約情報を受けて予約済み情報生成部１４Ａ２で生成された予約済み情報を所定の駐車制御システム１６に対して出力する。
【００４８】
なお、変形例として、サーバ１４の機能を全て端末１２上でアプリケーションプログラムを起動することにより実行可能とし、端末１２と駐車制御システム１６との間で信号の送受信を直接行って実現してもよい。
【００４９】
［駐車制御システム］
次に、駐車制御システム１６の構成について説明する。駐車制御システム１６は、基本的に全国のパーキングエリア毎に単数又は複数設置される。
【００５０】
図８に示すように、駐車制御システム１６は、例えば、制御部１６Ａと、記憶部１６Ｂと、通信部１６Ｃと、を含んで構成されている。
【００５１】
駐車制御システム１６は、例えば、全国の街や建物内のパーキングスペース（パーキングエリアともいう）の近傍に配置されており、具体的にはパーキングエリアの近傍などに設置された駐車装置である。当該駐車装置は、例えば、ロック板方式又はカーゲート方式のいずれかの方式のものが該当する。
【００５２】
ロック板方式とは、例えば、図１０乃至図１２に示すように、ロック板が上下に移動することにより、車両Ｔをロックする方式である。具体的には、ロック板を下げた状態で車両Ｔをパーキングエリアに進入させ、その後、車両Ｔの下に位置したロック板を上げる。これにより、車両Ｔをロックすることができ、車両Ｔをパーキングエリアの内部から外部へ移動させることができなくなる。
【００５３】
カーゲート方式とは、例えば、図１３乃至図１５に示すように、カーゲートが開閉することにより、車両Ｔが外部からパーキングエリアの内部へ進入すること又はパーキングエリアの内部から外部へ車Ｔ両が移動することを制御する。具体的には、カーゲートを上げた状態で車両Ｔをパーキングエリアに進入させ、その後、カーゲートを下げる。これにより、車両Ｔの動きをロックすることができ、車両Ｔをパーキングエリアの内部から外部へ移動させることができなくなる。
【００５４】
なお、図１３では、１つのパーキングエリアに対して１つのカーゲートが設置された構成である。
【００５５】
ここで、カーゲートが駐車場の入口に１つだけ設置されている構成でもよい。例えば、図１７に示すように、複数の車両を駐車できる複数のパーキングエリアＰＡ（図１７及び図１８参照）を備えた駐車場２０に管理人室１８が設置され、当該駐車場２０の入口に１つのカーゲートが設置されている。
【００５６】
なお、管理人室１８の内部等には、駐車制御システム１６が設置されている。
【００５７】
図１８に示すように、管理人室１８には駐車場管理システム２２が配置されている。駐車場管理システム２２は、例えば、メインコンピュータ部２４と、ディスプレイ部２６と、で構成されている。メインコンピュータ部２４は、例えば、信号Ｃを受けて、予約済みとなるパーキングエリアＰＡに対して所定の色を付した表示制御を行う。これにより、ディスプレイ部２６では、予約済みとなるパーキングエリアＰＡの部分に所定の色が付されて表示される。駐車が終了すれば、所定の色は非表示となり、元の状態に戻る。
【００５８】
なお、駐車場管理システム２２は、駐車制御システム１６の一実施態様である。
【００５９】
この結果、駐車場の管理人は、パーキングエリアＰＡの予約状況をディスプレイ部２６で一目瞭然に判別できる。そして、駐車利用制御部１６Ａ１としても機能するメインコンピュータ部２４が当該予約済みのパーキングエリアＰＡに他車が進入しないようにカーゲートを駆動操作したり、又は予約済みのパーキングエリアＰＡに駐車禁止の目印を自動設置することも可能である。
【００６０】
なお、これらの工程は、管理人によっても行うこともできる。
【００６１】
駐車禁止の目印とは、例えば、所定の色で発光するランプ装置又は障害物などを用いることができる。ランプ装置は、メインコンピュータ部２４によって発光制御することが可能である。障害物は、メインコンピュータ部２４によって移動制御することも可能である。
【００６２】
駐車予約システム１０を起動するためのアプリケーションプログラムは、例えば、サーバ１４に格納されており、各端末１２からサーバ１４にアクセスして、各端末１２にダウンロードすることができるが、駐車場管理システム２２を起動するためのアプリケーションプログラムも同様にしてサーバ１４に格納しておき、駐車場を管理する管理会社又は管理人が所有する事業用のコンピュータにダウンロードできるようにしてもよい。
【００６３】
なお、駐車予約システム１０を起動するためのアプリケーションプログラムと駐車場管理システム２２を起動するためのアプリケーションプログラムとは別のアプリケーションプログラムで構成されているが、１つのプログラムとして構成してもよい。
【００６４】
これにより、アプリケーションプログラムの販売が可能になり、収益を期待できるビジネスモデルを構築することもできる。
【００６５】
図８に示すように、制御部１６Ａは、駐車制御システム１６の全体制御を司るものであり、駐車制御プログラムに基づいて駐車制御システム１６を制御する。制御部１６Ａは、例えば、駐車利用制御部１６Ａ１を有している。
【００６６】
駐車利用制御部１６Ａ１は、例えば、サーバ１４からの予約済み情報を受けて駐車利用が不可能となるように制御される。具体的には、図１０に示すように、駐車制御システム１６がロック板方式の駐車装置で構成されている場合には、ロック板が駆動して上がった状態になり、車両Ｔのパーキングエリア内への進入が不可能になる。この結果、パーキングエリアの内部に車両Ｔが存在していないにもかかわらず、パーキングエリアの使用が不可能になる。
【００６７】
また、図１３に示すように、駐車制御システム１６がカーゲート方式の駐車装置で構成されている場合には、カーゲートが駆動して閉じた状態になり、当該パーキングエリア内への車両Ｔの進入や駐車が不可能になる。この結果、パーキングエリア内に車両Ｔが存在していないにもかかわらず、パーキングエリアの使用が不可能になる。
【００６８】
図８に示すように、駐車利用制御部１６Ａ１は、例えば、端末１２からの駐車決定情報を受けて駐車利用が可能となるように制御される。例えば、ユーザが自動車などの車両Ｔを運転してパーキングエリアの近傍に来ると、端末１２から駐車制御システム１６に対して駐車決定情報に関する制御信号を出力する。
【００６９】
なお、駐車決定情報に関する制御信号とは、駐車利用を可能とするための信号である。
【００７０】
具体的には、図１１に示すように、駐車制御システム１６がロック板方式の駐車装置で構成されている場合には、ロック板が駆動して下がった状態になり、車両Ｔのパーキングエリア内への進入が可能になる。この結果、パーキングエリア内に車両Ｔを駐車することが可能になる。
【００７１】
また、図１４に示すように、駐車制御システム１６がカーゲート方式の駐車装置で構成されている場合には、カーゲートが駆動して開いた状態になり、車両Ｔのパーキングエリア内への進入が可能になる。これにより、パーキングエリア内への車両Ｔの進入や駐車が可能になる。
【００７２】
図８に示すように、記憶部１６Ｂには、駐車制御プログラムが記憶されている。駐車制御プログラムは、駐車利用が可能か不可能を制御するためのプログラムを含む。
【００７３】
記憶部１６Ｂには、ユーザの駐車状況を示す記録（例えば、駐車に要した時間、駐車料金、駐車時刻など）が保存される。
【００７４】
通信部１６Ｃは、サーバ１４又は端末１２に対して制御信号の送受信が可能になるためのものである。通信手段として、インターネットなどの既存のネットワークインフラを利用することができる。なお、既存の無線又は有線のインフラを利用できる。
【００７５】
次に、駐車予約システム１０を用いた駐車予約方法について説明する。
【００７６】
図９に示すように、駐車予約を希望するユーザの端末１２の駐車位置情報入力部１２Ｂ１で駐車位置情報が入力され、また車両情報入力部１２Ｂ２で車両情報が入力される。駐車位置情報は、駐車位置情報出力部１２Ｃ１からサーバ１４に対して制御信号（図９で信号Ａ）として出力され、また車両情報は、車両情報出力部１２Ｃ２からサーバ１４に対して制御信号（図９で信号Ａで示す）として出力される。駐車位置情報及び車両情報は、信号Ａの少なくとも一部に含まれた情報である。
【００７７】
なお、車両情報は省略されてもよい。
【００７８】
ここで、サーバ１４の制御部１４Ａの駐車場検索部１４Ａ１は、信号Ａを受けて、ユーザが希望しかつ車種や要望に合致する駐車場の情報の有無を検索する。当該駐車場に関する情報は、全国のパーキングエリアに配置された駐車制御システム１６又はクラウドサーバから定期的又はリアルタイムでサーバ１４の記憶部１４Ｂに出力され、更新される。
【００７９】
ユーザが希望する駐車場の情報とは、地理的な場所、駐車希望時間、駐車場の型（方式）、駐車場の大きさなどの情報を含む。
【００８０】
駐車場検索部１４Ａ１は、最適な駐車場に関する情報又は複数の適切な駐車場を選択し、それに関する情報を生成する。
【００８１】
サーバ１４の出力部１４Ｃ２の検索結果出力部１４Ｃ２Ａは、駐車場の検索結果に関する情報が端末１２に対して制御信号（図９で信号Ｂで示す）として出力される。これにより、端末１２は、信号Ｂを受けて、液晶表示部１２Ｅで当該検索結果に関する情報を表示する。
【００８２】
このとき、地図などを表示して１つ又は複数の駐車場の住所、駐車可能時間、駐車料金、駐車場の型などの情報が表示される。これに対して、ユーザは、希望の駐車場を選択する。
【００８３】
端末１２の駐車予約情報入力部１２Ｂ１で駐車予約情報が入力され、駐車予約情報出力部１２Ｃ１で駐車予約情報がサーバ１４に対して制御信号（信号Ｃで示す）として出力される。
【００８４】
なお、駐車予約情報では、ユーザが希望する駐車場の場所、駐車希望時間及び駐車日時などが特定されている。
【００８５】
ここで、サーバ１４の制御部１４Ａの予約済み情報生成部１４Ａ２は、信号Ｃを受けて、ユーザによって選択された駐車場の予約済みを指示する予約済み情報を生成する。予約済み情報に関するデータは、例えば、サーバ１４の記憶部１４Ｂに記憶される。
【００８６】
サーバ１４の予約済み情報出力部１４Ｃ２Ｂは、予約済み情報を駐車制御システム１６に対して制御信号（図９で信号Ｄで示す）として出力する。
【００８７】
駐車制御システム１６の制御部１６Ａの駐車利用制御部１６Ａ１は、信号Ｄを受けて、ユーザによって選択された駐車場が利用できないように駆動制御する。
【００８８】
例えば、具体的には、図１０に示すように、駐車制御システム１６がロック板方式の駐車装置で構成されている場合には、ロック板が駆動して上がった状態になり、当該パーキングエリア内への車両Ｔの進入及び駐車が不可能になる。
【００８９】
また、図１３に示すように、駐車制御システム１６がカーゲート方式の駐車装置で構成されている場合には、カーゲートが駆動して閉じた状態になり、当該パーキングエリア内への車両Ｔの進入及び駐車が不可能になる。
【００９０】
ここで、ユーザが例えば自動車などの車両Ｔで当該パーキングエリアの近傍に来たときに、端末１２から駐車決定情報を駐車制御システム１６に対して制御信号（図９で信号Ｅで示す）として出力する。
【００９１】
なお、駐車決定情報とは、駐車利用を可能にするための情報である。
【００９２】
これにより、駐車制御システム１６の制御部１６Ａの駐車利用制御部１６Ａ１が駆動制御され、図１１に示すように、駐車制御システム１６がロック板方式の駐車装置で構成されている場合には、ロック板が駆動して下がった状態になり、当該パーキングエリア内への車両Ｔの進入及び駐車が可能になる。
【００９３】
また、図１４に示すように、駐車制御システム１６がカーゲート方式の駐車装置で構成されている場合には、カーゲートが駆動して開いた状態になり、当該パーキングエリア内への車両Ｔの進入及び駐車が可能になる。
【００９４】
さらに、車両Ｔをパーキングエリア内で停止させた後、図１２に示すように、駐車制御システム１６がロック板方式の駐車装置で構成されている場合には、ロック板が駆動して上がった状態になる。これにより、当該パーキングエリア内での車両Ｔのロックが完了する。この状態では、車両Ｔをパーキングエリアの外部へ移動させることはできない。
【００９５】
また、図１５に示すように、駐車制御システム１６がカーゲート方式の駐車装置で構成されている場合には、カーゲートが駆動して閉じた状態になる。これにより、当該パーキングエリア内から外部への車両Ｔの移動をロックがされる。この状態では、車両Ｔをパーキングエリアの外部へ移動させることはできない。
【００９６】
なお、信号Ｅの入力又は出力に替えて、ユーザが駐車料金を入金することにより、駐車利用可能に制御されてもよい。支払方法は、アプリケーション内での電子決済による支払い処理、クレジットカード決済処理、金融機関等の口座に対する電子送金の他に、現金又は予約番号を現場ら設置された装置に入金又は入力してもよい。これにより、駐車場のロックが解除され、車両の進入が可能になる。
【００９７】
ここで、ユーザが車両Ｔの駐車を解除する場合には、端末１２の入力部１２Ｂで駐車解除情報が入力され、出力部１２Ｃから駐車解除情報がサーバ１４に対して制御信号（図９で信号Ｆで示す）として出力される。
【００９８】
なお、駐車解除情報は、パーキングエリア内から車両Ｔを他の場所を移動させたい場合に、ユーザの端末１２で入力及び出力される情報である。
【００９９】
駐車制御システム１６は、信号Ｆを受けて、駐車場の利用料金及び支払い方法に関する情報を端末１２に対して制御信号（図９で信号Ｇで示す）として出力する。
【０１００】
端末１２では、信号Ｇを受けて、液晶表示部１２Ｅに駐車場の利用料金が表示される。これにより、ユーザは、支払い方法としてクレジットカード方式、電子マネー方式又は現金方式のいずれかを選択して、当該支払い情報を駐車制御システム１６に対して制御信号（図９で信号Ｈで示す）として出力する。
【０１０１】
駐車制御システム１６は、信号Ｈを受け、支払い方法がクレジットカード方式又は電子マネー方式の場合には、以下に示すように、ロックが解除される。
【０１０２】
なお、支払い方法が現金方式の場合には、駐車制御システム１６の所定の入金部などで駐車料金の入金が完了したタイミングで、以下に示すように、ロックが解除される。
【０１０３】
なお、ロックの解除については、具体的には、図１１に示すように、駐車制御システム１６がロック板方式の駐車装置で構成されている場合には、ロック板が駆動して下がった状態になり、車両Ｔをパーキングエリアの外部へ移動させることが可能になる。
【０１０４】
また、図１４に示すように、駐車制御システム１６がカーゲート方式の駐車装置で構成されている場合には、カーゲートが駆動して開いた状態になり、車両Ｔをパーキングエリアの外部へ移動させることが可能になる。
【０１０５】
ここで、サーバ１４から端末１２へ出力される駐車場の検索結果に関する情報の一部に、当該駐車場の近所の店および会社などの宣伝情報を含めてもよい。これにより、ユーザは、食事や買い物をする店の情報、訪問する会社及びその近所の会社の情報を容易に把握することができ、大変便利である。この場合には、広告主から広告料を徴収することが可能になり、駐車予約アプリとして無料又は低額でダウンロードできるようにしてユーザ数を増やすとともに、運営側にメンテナンスやシステム開発などの資金を援助することができる。
【０１０６】
なお、駐車予約システム１０を用いた駐車予約方法は、上記方法に限定されるものではない。以下、駐車予約方法の変形例を説明する。
【０１０７】
（駐車予約方法の変形例）
次に、駐車予約システム１０を用いた駐車予約方法の変形例について説明する。
【０１０８】
図１６に示すように、駐車予約を希望するユーザの端末１２の駐車位置情報入力部１２Ｂ１で駐車位置情報が入力され、また車両情報入力部１２Ｂ２で車両情報が入力される。駐車位置情報は、駐車位置情報出力部１２Ｃ１からサーバ１４に対して制御信号（図９で信号Ａ）として出力され、また車両情報は、車両情報出力部１２Ｃ２からサーバ１４に対して制御信号（図９で信号Ａで示す）として出力される。駐車位置情報及び車両情報は、信号Ａの少なくとも一部に含まれた情報である。
【０１０９】
なお、車両情報は省略されてもよい。
【０１１０】
ここで、サーバ１４の制御部１４Ａの駐車場検索部１４Ａ１は、信号Ａを受けて、ユーザが希望しかつ車種や要望に合致する駐車場の情報の有無を検索する。当該駐車場に関する情報は、全国のパーキングエリアに配置された駐車制御システム１６又はクラウドサーバから定期的又はリアルタイムでサーバ１４の記憶部１４Ｂに出力され、更新される。
【０１１１】
ユーザが希望する駐車場の情報には、地理的な場所、駐車希望時間、駐車場の型（方式）、駐車場の大きさなどの情報を含む。
【０１１２】
駐車場検索部１４Ａ１は、最適な駐車場に関する情報又は複数の適切な駐車場を選択し、それに関する情報を生成する。
【０１１３】
サーバ１４の出力部１４Ｃ２の検索結果出力部１４Ｃ２Ａは、駐車場の検索結果に関する情報が端末１２に対して制御信号（図９で信号Ｂで示す）として出力される。これにより、端末１２は、信号Ｂを受けて、液晶表示部１２Ｅで当該検索結果に関する情報を表示する。このとき、地図などを表示して１つ又は複数の駐車場の住所、駐車可能時間、駐車料金、駐車場の型などの情報が表示される。
【０１１４】
これに対して、ユーザは、希望の駐車場を選択する。
【０１１５】
端末１２の駐車予約情報入力部１２Ｂ１で駐車予約情報及び支払いに関する情報が入力され、駐車予約情報出力部１２Ｃ１で駐車予約情報がサーバ１４に対して制御信号（信号Ｃで示す）として出力される。
【０１１６】
なお、駐車予約情報では、ユーザが希望する駐車場の場所、駐車希望時間及び駐車日時などが特定されている。
【０１１７】
このとき、前記信号Ｃには、駐車場の利用料金及び支払い方法に関する情報を含めてサーバ１４に対して出力される。すなわち、端末１２では、信号Ｂを受けて、液晶表示部１２Ｅに駐車場の利用料金が表示される。ユーザは、支払い方法としてクレジットカード方式又は電子マネー方式のいずれかを選択し、当該支払い情報を前記信号Ｃに含めてサーバ１４に対して出力する。これにより、ユーザの支払いが完了する。
【０１１８】
なお、支払のお金は、サーバ１４の管理者の口座又は駐車制御システム１６の口座に入金される。
【０１１９】
サーバ１４の制御部１４Ａの予約済み情報生成部１４Ａ２は、信号Ｃを受けて、ユーザによって選択された駐車場の予約済みを指示する予約済み情報を生成する。予約済み情報に関するデータは、例えば、サーバ１４の記憶部１４Ｂに記憶される。
【０１２０】
サーバ１４の予約済み情報出力部１４Ｃ２Ｂは、予約済み情報を駐車制御システム１６に対して制御信号（図９で信号Ｄで示す）として出力する。
【０１２１】
駐車制御システム１６の制御部１６Ａの駐車利用制御部１６Ａ１は、信号Ｄを受けて、ユーザによって選択された駐車場が利用できないように駆動制御する。
【０１２２】
具体的には、図１０に示すように、駐車制御システム１６がロック板方式の駐車装置で構成されている場合には、ロック板が駆動して上がった状態になり、当該パーキングエリア内への車両Ｔの進入及び駐車が不可能になる。
【０１２３】
また、図１３に示すように、駐車制御システム１６がカーゲート方式の駐車装置で構成されている場合には、カーゲートが駆動して閉じた状態になり、当該パーキングエリア内への車両Ｔの進入及び駐車が不可能になる。
【０１２４】
ここで、ユーザが例えば自動車などの車両Ｔで当該パーキングエリアの近傍に来たときに、端末１２から駐車決定情報を駐車制御システム１６に対して制御信号（図９で信号Ｅで示す）として出力する。
【０１２５】
なお、駐車決定情報とは、駐車利用を可能にするための情報である。
【０１２６】
これにより、駐車制御システム１６の制御部１６Ａの駐車利用制御部１６Ａ１が駆動制御され、図１１に示すように、駐車制御システム１６がロック板方式の駐車装置で構成されている場合には、ロック板が駆動して下がった状態になり、当該パーキングエリア内への車両Ｔの進入及び駐車が可能になる。
【０１２７】
また、図１４に示すように、駐車制御システム１６がカーゲート方式の駐車装置で構成されている場合には、カーゲートが駆動して開いた状態になり、当該パーキングエリア内への車両Ｔの進入及び駐車が可能になる。
【０１２８】
続けて、車両Ｔをパーキングエリア内で停止させた後、図１２に示すように、駐車制御システム１６がロック板方式の駐車装置で構成されている場合には、ロック板が駆動して上がった状態になる。これにより、当該パーキングエリア内での車両Ｔのロックが完了する。この状態では、車両Ｔをパーキングエリアの外部へ移動させることはできない。
【０１２９】
また、図１５に示すように、駐車制御システム１６がカーゲート方式の駐車装置で構成されている場合には、カーゲートが駆動して閉じた状態になる。これにより、当該パーキングエリア内から外部への車両Ｔの移動をロックがされる。この状態では、車両Ｔをパーキングエリアの外部へ移動させることはできない。
【０１３０】
ここで、ユーザが車両Ｔの駐車を解除する場合には、端末１２の入力部１２Ｂで駐車解除情報が入力され、出力部１２Ｃから駐車解除情報がサーバ１４に対して制御信号（図９で信号Ｆで示す）として出力される。
【０１３１】
なお、駐車解除情報は、パーキングエリア内から車両Ｔを他の場所を移動させたい場合に、ユーザの端末１２で入力及び出力される情報である。
【０１３２】
駐車制御システム１６は、信号Ｆを受け、以下に示すように、ロックが解除される。
【０１３３】
ロックの解除については、具体的には、図１１に示すように、駐車制御システム１６がロック板方式の駐車装置で構成されている場合には、ロック板が駆動して下がった状態になり、車両Ｔをパーキングエリアの外部へ移動させることが可能になる。
【０１３４】
また、図１４に示すように、駐車制御システム１６がカーゲート方式の駐車装置で構成されている場合には、カーゲートが駆動して開いた状態になり、車両Ｔをパーキングエリアの外部へ移動させることが可能になる。
【０１３５】
このように、駐車予約方法の変形例によれば、端末１２と駐車制御システム１６との間における制御信号の入出力回数を削減でき、システムの効率が向上する。
【０１３６】
駐車料金の支払い方法については、実に多くの方法が考えられる。例えば、電子マネーがストックされた携帯電話装置やカード類を所定の装置に対して接触又は近接させることにより、支払を完了させることも可能である。駐車料金の支払いのタイミングは、パーキングエリア内に車両を進入させて駐車させるとき、又はパーキングエリア内から外部へ車両を移動させる直前までのタイミングであれば、いずれのタイミングも実行可能である。
【０１３７】
なお、上記実施形態は、本発明の一例に過ぎないものである。このため、本発明は、上記実施形態の内容に限定されるものでない。
【符号の説明】
【０１３８】
１０        駐車予約システム
１２        端末
１２Ａ      制御部（端末）
１２Ｂ      入力部（端末）
１２Ｂ１    駐車位置情報入力部（端末の入力部）
１２Ｂ２    車両情報入力部（端末の入力部）
１２Ｂ３    駐車予約情報入力部（端末の入力部）
１２Ｂ４    駐車決定情報入力部（端末の入力部）
１２Ｃ      出力部（端末）
１２Ｃ１    駐車位置情報出力部（端末の出力部）
１２Ｃ２    車両情報出力部（端末の出力部）
１２Ｃ３    駐車予約情報出力部（端末の出力部）
１２Ｃ４    駐車決定情報出力部（端末の出力部）
１２Ｄ      記憶部（端末）
１２Ｅ      液晶表示部（端末）
１４        サーバ
１４Ａ      制御部
１４Ａ１    駐車場検索部
１４Ａ２    予約済み情報生成部
１４Ｂ      記憶部
１４Ｃ      通信部
１４Ｃ１    入力部
１４Ｃ１Ａ  予約情報入力ポート
１４Ｃ２    出力部
１４Ｃ２Ａ  検索結果出力部
１４Ｃ２Ｂ  予約済み情報出力部
１６        駐車制御システム
１６Ａ      制御部
１６Ａ１    駐車利用制御部
１６Ｂ      記憶部
１６Ｃ      通信部
１８        管理人室
２０        駐車場
２２        駐車場管理システム
２４        メインコンピュータ部
２６        ディスプレイ部
Ｔ          車両
ＰＡ        パーキングエリア
【図１】
2017061051.tif 000003
【図２】
2017061051.tif 000004
【図３】
2017061051.tif 000005
【図４】
2017061051.tif 000006
【図５】
2017061051.tif 000007
【図６】
2017061051.tif 000008
【図７】
2017061051.tif 000009
【図８】
2017061051.tif 000010
【図９】
2017061051.tif 000011
【図１０】
2017061051.tif 000012
【図１１】
2017061051.tif 000013
【図１２】
2017061051.tif 000014
【図１３】
2017061051.tif 000015
【図１４】
2017061051.tif 000016
【図１５】
2017061051.tif 000017
【図１６】
2017061051.tif 000018
【図１７】
2017061051.tif 000019
【図１８】
2017061051.tif 000020
【国際調査報告】
2017061051.tif 000021
2017061051.tif 000022
2017061051.tif 000023
2017061051.tif 000024